(57)【要約】【課題】打楽器の打撃音の周波数スペクトラムが広帯域に分布する場合であっても、それからアコースティックな打撃音を再現する。【解決手段】取り付け用アーム１２が設けられた銅成分を含む金属板であるプレート１１と、銅成分を含む金属板であるプレート１３との間に、プレート１１及びプレート１３と異なる材料からなる介在部材１４を挟み込んで固定し、プレート１１の板面１１ｄやプレート１３の板面１３ｄに１以上の振動ピックアップ１７ａ〜１７ｅ，１８ａ〜１８ｄを固定する。【選択図】図２
2010134341.tif 000002
【特許請求の範囲】
【請求項１】
銅成分を含む金属板である第１プレートと、
前記第１プレートに設けられた取り付け用アームと、
銅成分を含む金属板であって、その一方の板面を前記第１プレートの一方の板面に対向させた第２プレートと、
前記第１及び第２プレートと異なる材料からなり、互いに対向する前記第１プレートの板面の一部と前記第２プレートの板面の一部との間に挟み込まれ、当該両板面に固定された介在部材と、
前記第１プレートの板面及び／又は前記第２プレートの板面に固定された１以上の振動ピックアップと、
を含む打楽器用ピックアップ。
【請求項２】
請求項１の打楽器用ピックアップであって、
前記第１プレートの板面に固定された振動ピックアップと、前記第２プレートの板面に固定された振動ピックアップと、の両方を含む、
ことを特徴とする打楽器用ピックアップ。
【請求項３】
円盤状の金属板によって構成され、中央にカップ形状の突き出し部であるカップを含むシンバルと、
銅成分を含む金属板である第１プレートと、前記第１プレートに設けられた取り付け用アームと、銅成分を含む金属板であり、その一方の板面を前記第１プレートの一方の板面に対向させた第２プレートと、前記第１及び第２プレートと異なる材料からなり、互いに対向する前記第１プレートの板面の一部と前記第２プレートの板面の一部との間に挟み込まれ、当該両板面に固定された介在部材と、前記第１プレートの板面及び／又は前記第２プレートの板面に固定された１以上の振動ピックアップと、を含む打楽器用ピックアップと、を含み、
前記振動ピックアップが前記シンバルに触れることなく、前記取り付け用アームの一部である固定部が前記カップに固定された、
ことを特徴とする電気打楽器。
【請求項４】
請求項３の電気打楽器であって、
選択されたワッシャーが、その一方の板面を前記カップの内壁面に対向させ、他方の板面を前記取り付け用アームに対向させ、前記カップの内壁面と前記取り付け用アームとの間に挟み込まれ、
前記カップには第１孔が設けられ、前記ワッシャーには第２孔が設けられ、前記取り付け用アームには第３孔が設けられ、
前記第１、第２及び第３孔を貫通したネジの先端部側から固定部材が当該ネジに螺合して締付けられているか、又は、前記カップ側から前記第１及び第２孔を貫通したネジが前記第３孔に螺合して締付けられているか、又は、前記取り付け用アーム側から前記第３及び第２孔を貫通したネジが前記第１孔に螺合して締付けられていることで、前記取り付け用アームの固定部が前記カップに固定され、
選択された前記ワッシャーの板面面積の違いによって、前記シンバルを打撃した際に前記振動ピックアップから出力される電気信号が変化する、
ことを特徴とする電気打楽器。
【請求項５】
請求項４の電気打楽器の調整方法であって、
前記ワッシャーを選択するステップと、
選択した前記ワッシャーを、その一方の板面を前記カップの内壁面に対向させ、他方の板面を前記取り付け用アームに対向させ、前記カップの内壁面と前記取り付け用アームとの間に挟みこむステップと、
前記第１、第２及び第３孔を貫通したネジの先端部側から固定部材を当該ネジに螺合させて締付けるか、又は、前記カップ側から前記第１及び第２孔を貫通したネジを前記第３孔に螺合させて締付けるか、又は、前記取り付け用アーム側から前記第３及び第２孔を貫通したネジを前記第１孔に螺合させて締付けることで、前記取り付け用アームの固定部を前記カップに固定するステップと、
前記シンバルを打撃して前記振動ピックアップから電気信号を出力させるステップと、を含み、
選択した前記ワッシャーの板面面積の違いによって、前記シンバルを打撃した際に前記振動ピックアップから出力される電気信号を変化させる、
ことを特徴とする調整方法。
【発明の詳細な説明】
【技術分野】
【０００１】
本発明は、打楽器に好適な打楽器用ピックアップ、この打楽器用ピックアップを備える電子打楽器及びその調整方法に関する。
【背景技術】
【０００２】
本出願人は、シンバルを構成する金属板に多数の小孔を形成し、この小孔によって打撃エネルギを吸収し、消音効果を得る構造とした消音シンバルと、この消音シンバルに振動ピックアップを装着し、振動ピックアップから電気信号を得てシンバル音を再生する電気シンバルを提案した（例えば、特許文献１参照）。
【０００３】
この電気シンバルでは、振動ピックアップをシンバルのほぼ中心部に位置するカップの内壁面に直接装着し、カップの振動を電気信号に変換する構造としている。このため、当該電気シンバルで再生される音はカップ部分の振動音成分を多く含み、当該電気シンバルの振動ピックアップは、シンバル全体の音を検出していないという欠点がある。つまり、シンバルは、その直径の大小により高い周波数成分を多く含む音を発生したり、低い周波数成分を多く含む音を発生したりするものである。しかしながら、カップの振動を振動ピックアップで直接検出する構造とした場合、その検出信号から再生される音はシンバルの直径の大小に係わりなく、カップ部分の形状等に依存した偏りのある音となってしまう。
【０００４】
これに対し、本出願人は、図１６（Ａ）（Ｂ）に例示する、被装着打楽器の打撃面の面積より小さい面積を持ち、少なくとも銅を含む金属板で形成される共振板１０１１と、この共振板１０１１の周縁の一部に装着した錘１０１２と、この錘１０１２の装着位置から所定距離離れた位置に設けられた取り付け部１０１３と、この取り付け部１０１３と錘１０１２との間の共振板１０１１の板面に装着された複数の振動ピックアップ１０１４と、を備えた打楽器用ピックアップ１０００を提案した（例えば、特許文献２参照）。
【０００５】
打楽器用ピックアップ１０００は、例えば、その取り付け部１０１３がシンバルのカップの内壁面に固定され、当該シンバルに装着される。このシンバルが叩かれると、その打撃振動が取り付け部１０１３を通じて共振板１０１１に伝えられ、共振板１０１１は、共振板１０１１の長さ、厚み、錘１０１２の重量等によって定まる複数の共振モードの各共振周波数で振動する。これらの振動は振動ピックアップ１０１４で検出され、電気信号に変換される。この電気信号は、共振板１０１１の共振周波数によって変化し、共振板１０１１の共振周波数を適度に設定することでアコースティックな打撃音が再現できる。
【特許文献１】特開平１１−１８４４５９号公報
【特許文献２】特開２００７−１７１２３３号公報
【発明の開示】
【発明が解決しようとする課題】
【０００６】
しかし、特許文献２の打楽器用ピックアップでは、打楽器の打撃音の周波数スペクトラム（周波数スペクトル）が広帯域に分布する場合に、アコースティックな音を再現することが困難となるという問題点がある。
【０００７】
すなわち、特許文献２のように１枚の共振板１０１１に錘１０１２が装着されたシンプルな構成の場合、共振板１０１１での共振モード数が制約され、さらに、各共振モードでのＱ値が高くなる（各共振周波数での強度のピークが鋭くなる）傾向が強い。このように共振板１０１１の共振特性が特定の周波数に偏ったものであった場合、各振動ピックアップ１０１４で検出される振動も特定の周波数に偏ったものとなる。そのため、各振動ピックアップ１０１４から出力される電気信号によって再生される音も打楽器の原音からかけ離れたものとなる。このような問題は、打楽器の打撃音の周波数スペクトラムが広帯域に分布する場合に特に顕著となる。
【０００８】
本発明はこのような点に鑑みてなされたものであり、打楽器の打撃音の周波数スペクトラムが広帯域に分布する場合であっても、それからアコースティックな打撃音を再現することが可能な技術を提供することを目的とする。
【課題を解決するための手段】
【０００９】
本発明では上記課題を解決するために、銅成分を含む金属板である第１プレートと、第１プレートに設けられた取り付け用アームと、銅成分を含む金属板であり、その一方の板面を第１プレートの一方の板面に対向させた第２プレートと、 第１及び第２プレートと異なる材料からなり、互いに対向する第１プレートの板面の一部と第２プレートの板面の一部との間に挟み込まれ、当該両板面に固定された介在部材と、第１プレートの板面及び／又は第２プレートの板面に固定された１以上の振動ピックアップと、を含む打楽器用ピックアップが提供される。なお、取り付け用アームは、第１プレートと一体であってもよいし、第１プレートと別体であってもよい。
【００１０】
このように第１プレートと第２プレートとの間にこれらと異なる材料の介在部材を挟み込んで固定した構成とすることで、第１プレート及び第２プレートの共振モード数を増加させ、さらに、各共振モードでのＱ値を低くする（各共振周波数での強度のピークを穏やかにする）ことができる。これによって第１プレート及び第２プレートの共振特性をそれぞれ平坦にでき、原打撃音に基づく振動を特定の周波数に大きく偏らせることなく、各振動ピックアップに検出させることが可能となる。その結果、打楽器の打撃音の周波数スペクトラムが広帯域に分布する場合であっても、それからアコースティックな打撃音を再現できる。
【００１１】
また、本発明の打楽器用ピックアップは、好ましくは、第１プレートの板面に固定された振動ピックアップと、第２プレートの板面に固定された振動ピックアップと、の両方を含む。
【００１２】
第１プレートの振動の周波数スペクトラムは中低域に分布し、第２プレートの振動の周波数スペクトラムは中高域に分布する傾向がある。そのため、第１プレートの板面に固定された振動ピックアップで得られた電気信号と、第２プレートの板面に固定された振動ピックアップで得られた電気信号との両方を混合して利用することで、より広い周波数帯域においてアコースティックな打撃音を再現することができる。
【発明の効果】
【００１３】
本発明では、打楽器の打撃音の周波数スペクトラムが広帯域に分布する場合であっても、それからアコースティックな打撃音を再現することができる。
【発明を実施するための最良の形態】
【００１４】
以下、図面を参照して本発明の実施形態を説明する。
〔第１実施形態〕
図１は、第１実施形態の打楽器用ピックアップ１０の斜視図である。図２は、第１実施形態の打楽器用ピックアップ１０の分解図である。図３（Ａ）は、第１実施形態の打楽器用ピックアップ１０の平面図であり、図３（Ｂ）はその正面図であり、図３（Ｃ）はその右側面図である。また、図４（Ａ）は第１実施形態の打楽器用ピックアップ１０の背面図であり、図４（Ｂ）はその底面図であり、図４（Ｃ）は図３（Ａ）のＩＶ−ＩＶ断面図である。図５（Ａ）は、プレート１１の板面１１ｄに固定された振動ピックアップ１７ａ〜１７ｅを説明するための図であり、図５（Ｂ）は、プレート１３の板面１３ｄに固定された振動ピックアップ１８ａ〜１８ｄを説明するための図である。
【００１５】
図１から図４に示すように、本形態の打楽器用ピックアップ１０は、銅成分を含む金属板であるプレート１１（「第１プレート」に相当）と、プレート１１に設けられた取り付け用アーム１２と、銅成分を含む金属板であり、その一方の板面１３ｄをプレート１１の一方の板面１１ｄに対向させたプレート１３（「第２プレート」に相当）と、 プレート１１及びプレート１３と異なる材料からなり、互いに対向するプレート１１の板面１１ｄの一部とプレート１３の板面１３ｄの一部との間に挟み込まれ、当該両板面１１ｄ，１３ｄに固定された介在部材１４と、取り付け用アーム１２、プレート１１の板面１１ｄ又はプレート１３の板面１３ｄに固定された１以上の振動ピックアップ１７ａ〜１７ｅ，１８ａ〜１８ｄと、配線用プリント基板１９と、出力ジャック１５ａ及びシールド線１５ｂと、ネジ１６ａ〜１６ｃとを有する。
【００１６】
［プレート１１、取り付け用アーム１２］
図１から図３に示すように、本形態のプレート１１と取り付け用アーム１２とは一体に構成されている。
【００１７】
本形態のプレート１１は、四隅が面取りされた略長方形の板面１１ｇ，１１ｄを表裏に持つ金属板からなる領域である。このプレート１１には、板面１１ｄ，１１ｇ間を略垂直に貫通し、内部にネジ溝が形成された３つの貫通孔１１ａ，１１ｂ，１１ｃが設けられている。各貫通孔１１ａ，１１ｂ，１１ｃの位置は介在部材１４の形状や固定位置に応じて定められるが、本形態では、板面１１ｄ，１１ｇの中心付近を長手方向に横切る直線に沿ってこれらが設けられている。
【００１８】
本形態の取り付け用アーム１２は、プレート１１の長手方向の側面１１ｆに対向する側面側中央付近から外部方向に向かって突設された、板面が略長方形の金属板が折り曲げられて構成された領域である。この例の取り付け用アーム１２は、その付け根部１２ｃでプレート１１の板面１１ｇ側の方向に折り曲げられ、さらに、その端部近傍の折り曲げ部１２ｂでそれとは反対方向に折り曲げられる。そして、この折り曲げ部１２ｂよりも先端側の領域が固定部１２ａとなり、折り曲げ部１２ｂと付け根部１２ｃとの間の領域がアーム部１２ｄとなっている。なお、アーム部１２ｄの板面１２ｄａとプレート１１の板面１１ｇとが板面１２ｄａ，１１ｇ側でなす角度は、９０度近傍、１８０度近傍及び２７０度近傍を避けた角度であることが好ましく、９０度よりも大きく１８０度よりも小さい角度、又は１８０度よりも大きく２７０度よりも小さい角度であることが望ましい。９０度近傍や２７０度近傍では、取り付け用アーム１２からプレート１１に伝達される振動のレベルが小さくなり、１８０度近傍ではプレート１１で強度のピークが鋭い共振が起こり易くなるからである。なお、本形態のアーム部１２ｄの板面１２ｄａとプレート１１の板面１１ｇとが板面１２ｄａ，１１ｇ側でなす角度は、９０度よりも大きく１８０度よりも小さい角度である。また、振動の伝達効率の面から、折り曲げ部１２ｂでの折り曲げ角度は、固定部１２ａの板面１２ａｂがプレート１１の板面１１ｇと略平行となる角度であることが好ましい。なお、折り曲げ部１２ｂ及び付け根部１２ｃでの曲げ角度は再現される打撃音の音質に影響するため、これらの各曲げ加工は曲げ部全体にわたって均一な圧力で精度よく行われる必要がある。また、固定部１２ａには、その板面１２ａｂ，１２ａｃ間を略垂直に貫通する貫通孔１２ａａが設けられている。
【００１９】
なお、プレート１１及び取り付け用アーム１２の材質の一例は、真鍮（六四黄銅，七三黄銅，丹銅など）、青銅、銅などである。このように銅成分を含む金属でプレート１１及び取り付け用アーム１２を構成することにより、アコースティックな打撃音を再現することができる。特に、シンバルに使用される打楽器用ピックアップ１０には、音質上、真鍮が好ましく、六四黄銅（亜鉛４０％、銅６０％）が最適である。
【００２０】
［プレート１３］
本形態のプレート１３は、四隅が面取りされた略長方形の板面１３ｄ，１３ｇを表裏に持つ金属板であり、板面１１ｄ，１１ｇ間を略垂直に貫通する３つの貫通孔１１ａ，１１ｂ，１１ｃが設けられている。本形態のプレート１３は、その板面１３ｄをプレート１１の板面１１ｄに対向させて配置した際に、プレート１１，１３の外縁部が相互にほぼ一致し、さらにプレート１１に設けられた貫通孔１１ａ，１１ｂ，１１ｃとプレート１３に設けられた貫通孔１３ａ，１３ｂ，１３ｃとの孔位置がそれぞれ整合するように構成されている。なお、プレート１３の材質の一例は、真鍮、青銅、銅などであり、音質上好ましくは、プレート１１と同一の材質で構成される。このように銅成分を含む金属でプレート１３を構成することにより、アコースティックな打撃音を再現することができる。特に、シンバルに使用される打楽器用ピックアップ１０には、音質上、真鍮が好ましく、六四黄銅が最適である。
【００２１】
［介在部材１４］
本形態の介在部材１４は、プレート１１やプレート１３の板面１１ｆ，１３ｄよりも板面１４ｄ，１４ｅの面積が小さな金属板であり、板面１４ｄ，１４ｅ間を略垂直に貫通する３つの貫通孔１４ａ，１４ｂ，１４ｃが設けられている。介在部材１４は、プレート１１やプレート１３と異なる材質で構成される。介在部材１４は、プレート１１やプレート１３よりも硬い材質であることが望ましい。これにより、プレート１１やプレート１３のＱ値を下げることができ、さらに高域の音響特性が向上するからである。介在部材１４の材質の一例は、鉄、鋼などの鉄成分を含む金属であり、表面にニッケル鍍金や亜鉛鍍金等が施されたものであってもよい。このように鉄成分を含む金属で介在部材１４を構成することにより、プレート１１，１３の共振振動をより抑制してＱ値を下げ、アコースティックな打撃音を再現することができる。
【００２２】
［振動ピックアップ１７ａ〜１７ｅ，１８ａ〜１８ｄ等］
取り付け用アーム１２のアーム部１２ｄのプレート１３側に配置される板面１２ｄｂには振動ピックアップ１７ａが固定され、プレート１１の板面１１ｄには振動ピックアップ１７ｂ〜１７ｅが固定されている。また、プレート１３の板面１３ｄには振動ピックアップ１８ａ〜１８ｄが固定されている。なお、介在部材１４がプレート１１，１３に固定された際に振動ピックアップ１７ｂ〜１７ｅ，１８ａ〜１８ｄが介在部材１４と接触しないように、振動ピックアップ１７ｂ〜１７ｅ，１８ａ〜１８ｄは、それぞれ介在部材１４が配置されるプレート１１，１３の中心付近から離れた位置に固定されている。また、振動ピックアップ１７ｂ〜１７ｅ，１８ａ〜１８ｄの固定位置は音響特性を考慮して適宜選択すればよいが、少なくとも、取り付け用アーム１２のアーム部１２ｄには振動ピックアップを固定しておくことが望ましい。取り付け用アーム１２のアーム部１２ｄ以外の位置では、中域から低域の音を十分に検出することができないからである。また、振動ピックアップ１７ａ〜１７ｅ，１８ａ〜１８ｄの一例は、ピエゾ素子等からなる振動センサーである。これらの固定には両面粘着テープや接着剤を用いることができるが、粘着層の厚さを一定に保ち、安定した音響特性を得るためには、両面粘着テープを用いることが望ましい。
【００２３】
また、プレート１３の板面１３ｄには配線用プリント基板１９が固定されている。本形態では、プレート１３にプレート１１が対向配置された際に、取り付け用アーム１２が配置される側の辺縁部に配線用プリント基板１９が配置される。配線用プリント基板１９は、入力された２系統のステレオ信号を外部に出力するための回路基板であり、これには、被覆線によって電気的に直列接続された振動ピックアップ１７ａ〜１７ｅと、被覆線によって電気的に直列接続された振動ピックアップ１８ａ〜１８ｄとが、それぞれ独立に接続されている。このように、振動ピックアップ１７ａ〜１７ｅや振動ピックアップ１８ａ〜１８ｄをそれぞれ直列接続した場合、振動ピックアップ系列の断線の検出が容易になるので好ましい。しかし、音響特性に応じ、振動ピックアップ１７ａ〜１７ｅや振動ピックアップ１８ａ〜１８ｄをそれぞれ並列又は直並列接続する構成であってもよい。
【００２４】
配線用プリント基板１９には、さらにステレオ信号用のシールド線１５ｂの一端が電気的に接続され、シールド線１５ｂの他端には、ステレオ信号用の出力ジャック１５ａが電気的に接続されている。これにより、振動ピックアップ１７ａ〜１７ｅから出力された電気信号の系統と、振動ピックアップ１８ａ〜１８ｄから出力された電気信号の系統とからなるステレオ信号が出力ジャック１５ａから出力可能とされる。
【００２５】
［プレート１１，１３及び介在部材１４の固定］
以上のように構成されたプレート１１の板面１１ｄとプレート１３の板面１３ｄとは対向配置され、それらの間には介在部材１４が挟み込まれている。介在部材１４の板面１４ｄはプレート１１の板面１１ｄに対向し、板面１４ｅはプレート１３の板面１３ｄに対向し、貫通孔１１ａ，１４ａ，１３ａの孔位置、貫通孔１１ｂ，１４ｂ，１３ｂの孔位置、及び貫通孔１１ｃ，１４ｃ，１３ｃの孔位置がそれぞれ整合している。そして、プレート１３の板面１３ｇ側から、貫通孔１１ａ，１４ａ，１３ａにネジ１６ａが挿入され、貫通孔１１ｂ，１４ｂ，１３ｂにネジ１６ｂが挿入され、貫通孔１１ｃ，１４ｃ，１３ｃにネジ１６ｃが挿入されている。この状態で各ネジ１６ａ，１６ｂ，１６ｃがプレート１１の貫通孔１１ａ，１１ｂ，１１ｃに螺合して締付けられ、介在部材１４がプレート１１とプレート１３とに固定されている。これらのネジ１６ａ，１６ｂ，１６ｃの締め付けは、緩みが生じず、プレート１１，１３と介在部材１４とからなる機構の機械特性が均一となるように、十分なトルク（例えば、５０Ｎｃｍ）で行われ、それらの締め付けトルクは均一なものとする。このような構成により、プレート１１，１３の共振特性をそれぞれ平坦にでき、原打撃音に基づく振動を特定の周波数に大きく偏らせることなく、各振動ピックアップ１７ａ〜１７ｅ，１８ａ〜１８ｄに検出させることができる。その結果、打楽器の打撃音の周波数スペクトラムが広帯域に分布する場合であっても、それからアコースティックな打撃音を再現できる。
【００２６】
また、この固定の際、配線用プリント基板１９側に配置されたシールド線１５ｂの絶縁性外皮（Jacket）で覆われた先端被覆部１５ｂａが、配線用プリント基板１９とプレート１１の板面１１ｄの一部との間に挟み込まれて圧着される構成が望ましい。これにより、シールド線１５ｂが固定できるだけではなく、当該先端被覆部１５ｂａがプレート１１の振動を抑制し、配線用プリント基板１９がプレート１３の振動を抑制することで、プレート１１，１３のＱ値を下げることができる。その結果、プレート１１，１３の共振特性をそれぞれ平坦にでき、原打撃音に基づく振動を特定の周波数に大きく偏らせることなく、各振動ピックアップ１７ａ〜１７ｅ，１８ａ〜１８ｄに検出させることができ、よりアコースティックな打撃音を再現することができる。
【００２７】
［寸法の一例］
好ましいアコースティックな打撃音を再現するための寸法の一例は、プレート１１の短手方向の長さをＡとし、長手方向の長さをＢとし、折り曲げ部１２ｂと付け根部１２ｃとの間の長さをＣとし、付け根部１２ｃの長さをＤとし（図１）、１以上の定数をｃｏｎｓｔとした場合に、以下の関係を満たすものである。
【００２８】
Ｂ＝ｃｏｎｓｔ・Ａ      …(1)
Ｃ＝ｃｏｎｓｔ・Ｄ      …(2)
０＜Ｄ＜Ｂ              …(3)
【００２９】
なお、Ａの一例は４０ｍｍであり、Ｄの一例は１８ｍｍであり、定数ｃｏｎｓｔの一例は１．６１８である。また、プレート１１，１３の板厚の一例は２ｍｍである。プレート１３の板面１３ｇと固定部１２ａの板面１２ａｂとを平行に構成した場合における、プレート１３の板面１３ｇを含む平面と固定部１２ａの板面１２ａｂを含む平面との距離Ｅ（図３（Ｃ））の一例は２０ｍｍである。
【００３０】
［シンバルへの取り付け例］
次に、本形態の打楽器用ピックアップ１０をシンバルに装着した例を示す。
図６（Ａ）は、シンバル５０とそれに装着された打楽器用ピックアップ１０とを含む電気打楽器１００の平面図であり、図６（Ｂ）は、図６（Ａ）のＶＩ−ＶＩ断面図である。また、図７（Ａ）は、シンバル５０に打楽器用ピックアップ１０が取り付けられた様子を説明するための断面図であり、図７（Ｂ）は、図７（Ａ）のワッシャー６３の斜視図であり、図７（Ｃ）はその平面図であり、図７（Ｄ）はそのＶＩＩ−ＶＩＩ断面図である。
【００３１】
図６（Ａ）に例示するように、シンバル５０は、真鍮のような銅成分を含む円盤状の金属板によって構成される。シンバル５０をなす円板の中心部分には、カップ形状（半球面状）の突き出し部であるカップ５１が設けられる。カップ５１の外周側にはボウ５３が配置され、ボウ５３の外周側にはエッジ５４が配置される。なお、カップ５１とボウ５３との間の境界部分を節目５２と呼ぶ。また、カップ５１の中心部にはシンバル５０を保持するための貫通孔５５が設けられ、貫通孔５５と節目５２との間のカップ５１の領域には、打楽器用ピックアップ１０を装着するための貫通孔５１ａが設けられる。さらに、ボウ５３などに多数の小孔を形成し、この小孔によって打撃エネルギを吸収し、消音効果を得る構造としてもよい。
【００３２】
打楽器用ピックアップ１０は、プレート１１の板面１１ｇをシンバル５０の内壁面５０ａ側に向けた状態で当該内壁面５０ａ側に配置され、取り付け用アーム１２の固定部１２ａによってカップ５１の内壁面５１ｃ側に固定される。当然、打楽器用ピックアップ１０の各振動ピックアップ１７ａ〜１７ｅ，１８ａ〜１８ｄはシンバル５０に接触しない。
【００３３】
取り付け用アーム１２のシンバル５０への取り付け方法は音響的に非常に重要であり、取り付け用アーム１２の固定部１２ａとカップ５１の内壁面５１ｃとの接触面積が一定であることが重要である。すなわち、この接触面積が変化すると各振動ピックアップ１７ａ〜１７ｅ，１８ａ〜１８ｄで検出される振動も変化し、再現された打撃音も変化する。特に、この接触面積が大きくなり過ぎると、固定部１２ａがシンバル５０の振動を抑制してしまい、シンバル５０の真の振動が検出できなくなる。しかしながら、カップ５１の内壁面５１ｃは球面であり、取り付け用アーム１２の固定部１２ａをそのままカップ５１の内壁面５１ｃに固定したのでは、その固定強度によって上記の接触面積が大きく変化してしまう。
【００３４】
そこで図７の例では、取り付け用アーム１２の固定部１２ａとカップ５１の内壁面５１ｃとの間に、固定部１２ａの板面１２ａｂよりも板面面積が小さなワッシャーを介在させる。すなわち、選択された板面面積を持つワッシャー６３が、その一方の板面をカップ５１の内壁面５１ｃに対向させ、他方の板面を取り付け用アーム１２の固定部１２ａの板面１２ａｂに対向させ、カップ５１の内壁面５１ｃと取り付け用アーム１２の固定部１２ａとの間に挟み込まれている。なお、ワッシャー６３の中心部には貫通孔６３ａが設けられている（図７（Ｂ）〜（Ｃ））。ワッシャー６３は、図７（Ｂ）〜（Ｃ）に示すような平ワッシャーでもよいし、スプリングワッシャーなどでもよい。また、取り付け用アーム１２の固定部１２ａの板面１２ａｃには、選択された板面面積を持つワッシャー６４の一方の板面が対向する。ワッシャー６４の例は、平ワッシャー、スプリングワッシャーなどであり、その中心部には貫通孔６３ａが設けられている。そして、カップ５１の外壁面５１ｂ側から、ネジ６１が、カップ５１の貫通孔５１ａ（「第１孔」に相当）、ワッシャー６３の貫通孔６３ａ（「第２孔」に相当）、取り付け用アーム１２の固定部１２ａの貫通孔１２ａａ（「第３孔」に相当）、及びワッシャー６４の貫通孔６４ａを貫通し、その先端部側からナット６２（「固定部材」に相当）が当該ネジ６１に螺合して締付けられている。
【００３５】
このような構成の場合、選択されたワッシャー６３の板面面積によって、カップ５１の内壁面５１ｃへの接触面積と固定部１２ａへの接触面積とを制御できる。同様に、選択されたワッシャー６４の板面面積によって、固定部１２ａへの接触面積とナット６２への接触面積とを制御できる。その結果、選択されたワッシャー６３，６４の板面面積の違い（特にワッシャー６３の板面面積の違い）によって、シンバル５０を打撃した際に振動ピックアップ１７ａ〜１７ｅ，１８ａ〜１８ｄから出力される電気信号を変化させ、電気打楽器１００の音を調整することができる。これにより、シンバル５０の形状や大きさに応じて打楽器用ピックアップ１０の形状を変更することなく、ワッシャー６３，６４の板面面積を変更するだけで、同一形状の打楽器用ピックアップ１０を様々な形状や大きさのシンバル５０に装着し、アコースティックな打撃音を再現することができる。なお、シンバル５０の形状や大きさに応じてワッシャー６３，６４を選択して行う調整は、ワッシャーを選択するステップと、選択したワッシャーを上記のように装着するステップと、上記のように取り付け用アームの固定部をカップに固定するステップと、シンバルを打撃して振動ピックアップから電気信号を出力させるステップと、を繰り返すことで実現できる。
【００３６】
図８（Ａ）〜（Ｃ）は、図７（Ａ）を用いて説明した取り付け方法の変形例を説明するための断面図である。
【００３７】
図８（Ａ）の変形例では、選択された板面面積を持つワッシャー６３が、その一方の板面をカップ５１の内壁面５１ｃに対向させ、他方の板面を取り付け用アーム１２の固定部１２ａの板面１２ａｂに対向させ、カップ５１の内壁面５１ｃと取り付け用アーム１２の固定部１２ａとの間に挟み込まれている。カップ５１の外壁面５１ｂには、選択された板面面積を持つワッシャー６４の一方の板面が対向する。そして、固定部１２ａの板面１２ａｃ側から、ネジ６１が、取り付け用アーム１２の固定部１２ａの貫通孔１２ａａ（「第３孔」に相当）、ワッシャー６３の貫通孔６３ａ（「第２孔」に相当）、カップ５１の貫通孔５１ａ（「第１孔」に相当）、及びワッシャー６４の貫通孔６４ａを貫通し、その先端部側からナット６２（「固定部材」に相当）が当該ネジ６１に螺合して締付けられている。
【００３８】
図８（Ｂ）の変形例では、取り付け用アーム１２の固定部１２ａの貫通孔１２ａａ内部にネジ溝が形成されている。この例では、選択された板面面積を持つワッシャー６３が、その一方の板面をカップ５１の内壁面５１ｃに対向させ、他方の板面を取り付け用アーム１２の固定部１２ａの板面１２ａｂに対向させ、カップ５１の内壁面５１ｃと取り付け用アーム１２の固定部１２ａとの間に挟み込まれている。そして、カップ５１の外壁面５１ｂ側から、ネジ６１が、カップ５１の貫通孔５１ａ（「第１孔」に相当）、及びワッシャー６３の貫通孔６３ａ（「第２孔」に相当）を貫通し、取り付け用アーム１２の固定部１２ａの貫通孔１２ａａ（「第３孔」に相当）に螺合して締付けられている。
【００３９】
図８（Ｃ）の変形例では、カップ５１の貫通孔５１ａの内部にネジ溝が形成されている。この例では、選択された板面面積を持つワッシャー６３が、その一方の板面をカップ５１の内壁面５１ｃに対向させ、他方の板面を取り付け用アーム１２の固定部１２ａの板面１２ａｂに対向させ、カップ５１の内壁面５１ｃと取り付け用アーム１２の固定部１２ａとの間に挟み込まれている。そして、固定部１２ａの板面１２ａｃ側から、ネジ６１が、取り付け用アーム１２の固定部１２ａの貫通孔１２ａａ（「第３孔」に相当）、及びワッシャー６３の貫通孔６３ａ（「第２孔」に相当）を貫通し、カップ５１の貫通孔５１ａ（「第１孔」に相当）に螺合して締付けられている。
【００４０】
図９（Ａ）は、図７（Ａ）を用いて説明した取り付け方法の他の変形例を説明するための断面図であり、図９（Ｂ）は、図９（Ａ）のナット２６２の斜視図であり、図９（Ｃ）は、図９（Ａ）のカップ２５１に内壁面側を説明するための底面拡大図である。
【００４１】
図９（Ａ）の変形例では、ワッシャーを用いる代わりに、カップの内壁面とワッシャーの一方の板面をワッシャー状に突起させ、その突起面の面積に応じて再現音の音質を調整する。すなわち、この例で用いるナット２６２の一端には、中空円の板面２６２ｂａを持つワッシャー状突起部２６２ｂが一体に突設されている（図９（Ａ）（Ｂ））。ワッシャー状突起部２６２ｂの板面２６２ｂａの面積は、他端側の板面２６２ｃの面積よりも小さく、その大きさは音響特性に応じた適当なものとなっている。そして、このワッシャー状突起部２６２ｂの中空部分から板面２６２ｃに貫通した内部にネジ孔を有する貫通孔２６２ａが設けられている。また、この例のカップ２５１の内壁面２５１ｃには、中空円の板面２５１ｂａを持つワッシャー状突起部２５１ｂが一体に突設されている（図９（Ａ）（Ｃ））。この板面２５１ｂａの面積は、取り付け用アーム１２の固定部１２ａにおける板面１２ａｂの面積よりも小さく、音響特性に応じた適当なものとなっている。この例では、カップ２５１の板面２５１ｂａに取り付け用アーム１２の固定部１２ａの板面１２ａｂが対向配置され、カップ２５１の外壁面２５１ｄ側から、ネジ６１が、カップ２５１の貫通孔２５１ａ、及び取り付け用アーム１２の固定部１２ａの貫通孔１２ａａを貫通している。そして、その先端部側から、板面２６２ｂａを固定部１２ａの板面１２ａｃに対向させたナット２６２が当該ネジ６１に螺合して締付けられている。このような構成の場合、カップ２５１に設けられたワッシャー状突起部２５１ｂの板面２５１ｂａの面積によって、取り付け用アーム１２の固定部１２ａとカップ２５１の内壁面２５１ｃとの接触面積を制御し、ワッシャー状突起部２６２ｂの板面２６２ｂａの面積によって、取り付け用アーム１２の固定部１２ａとナット２６２との接触面積を制御できる。これにより、音質の調整が容易となる。
【００４２】
図９（Ｄ）は、図７（Ａ）を用いて説明した取り付け方法の他の変形例を説明するための断面図であり、図９（Ｅ）は、図９（Ｄ）の固定部２１２ａの平面図であり、図９（Ｆ）は、図９（Ｅ）のＩＸ−ＩＸ断面図である。
【００４３】
図９（Ｄ）の変形例では、ワッシャーを用いる代わりに、取り付け用アームの固定部の表裏面をワッシャー状に突起させ、その突起面の面積に応じて再現音の音質を調整する。すなわち、この例に用いられる取り付け用アーム１２の固定部１２ａは、図９（Ｄ）〜（Ｆ）に示す固定部２１２ａに置換される。固定部２１２ａの一方の板面２１２ａｂ側には、中空円の板面２１２ｅａを持つワッシャー状突起部２１２ｅが一体に突設され、固定部２１２ａの他方の板面２１２ａｃ側には、中空円の板面２１２ｆａを持つワッシャー状突起部２１２ｆが一体に突設されている。ワッシャー状突起部２１２ｅ，２１２ｆの板面２１２ｅａ，２１２ｆａは、それぞれ、固定部２１２ａの板面２１２ａｂ，２１２ａｃ側の領域の一部のみに形成され、音響特性に応じた適当なものとなっている。そして、ワッシャー状突起部２１２ｅの板面２１２ｅａとワッシャー状突起部２１２ｆの板面２１２ｆａとを貫通する貫通孔２１２ａａが設けられている。この例では、カップ５１の内壁面５１ｃに固定部２１２ａのワッシャー状突起部２１２ｅの板面２１２ｅａが対向配置され、カップ５１の外壁面５１ｂ側から、ネジ６１が、カップ５１の貫通孔５１ａ、及び固定部２１２ａの貫通孔２１２ａａを貫通している。そして、その先端部側からナット６２が当該ネジ６１に螺合し、固定部２１２ａの板面２１２ｆａに接触した状態で締付けられている。このような構成でも、ワッシャー状突起部２１２ｅ，２１２ｆの板面２１２ｅａ，２１２ｆａの面積に応じて音質を定めることができ、音質の調整が容易となる。
【００４４】
［出力信号の合成］
上記のように打楽器用ピックアップ１０が装着されたシンバルを打撃すると、その振動がカップから打楽器用ピックアップ１０の取り付け用アーム１２に伝達し、プレート１１，１３が共振して振動する。取り付け用アーム１２やプレート１１，１３の振動は振動ピックアップ１７ａ〜１７ｅ，１８ａ〜１８ｄで検出される。そして、取り付け用アーム１２やプレート１１に装着された振動ピックアップ１７ａ〜１７ｅから出力された電気信号の系列と、プレート１３に装着された振動ピックアップ１８ａ〜１８ｄから出力された電気信号の系列とからなるステレオ信号が、出力ジャック１５ａから出力される。ここで、取り付け用アーム１２やプレート１１の振動の周波数スペクトラムは中低域に分布し、プレート１２の共振周波数の振動は中高域に分布する傾向がある。そのため、振動ピックアップ１７ａ〜１７ｅから出力された電気信号の系列と、振動ピックアップ１８ａ〜１８ｄから出力された電気信号の系列とを、外部のミキサーで混合することにより、より広く平坦な周波数スペクトラムを得ることができる。その結果、より広い周波数帯域においてアコースティックな打撃音を再現することができる。
【００４５】
図１０（Ａ）は、図１６に示した従来の打楽器用ピックアップ１０００を２０インチライドシンバル（孔あき消音シンバル）に装着し、このシンバルをクラッシュで叩いた時に打楽器用ピックアップ１０００から出力される電気信号の周波数スペクトラム特性を例示するグラフである。また、図１０（Ｂ）は、本形態の打楽器用ピックアップ１０を２０インチのライドシンバル（この例では、孔あき消音シンバル）に装着し、このシンバルをクラッシュで叩いた時に打楽器用ピックアップ１０から出力される２系統の電気信号を加算した混合信号の周波数スペクトラム特性を例示するグラフである。図１１（Ａ）は、この際に打楽器用ピックアップ１０の振動ピックアップ１７ａ〜１７ｅの系統（中低域系統）から出力される電気信号の周波数スペクトラム特性を例示するグラフであり、図１１（Ｂ）は、打楽器用ピックアップ１０の振動ピックアップ１８ａ〜１８ｄの系統（中高域系統）から出力される電気信号の周波数スペクトラム特性を例示するグラフである。いずれのグラフも横軸は周波数［Ｈｚ］を示しており、縦軸は信号の強度［ｄＢ］を示している。また、これらの周波数スペクトラム特性は電気信号を５秒間観測して得られたものである。
【００４６】
図１０（Ａ）（Ｂ）を比較すれば分かるように、本形態の打楽器用ピックアップ１０で得られた電気信号の周波数スペクトラムは、従来の打楽器用ピックアップ１０００で得られるそれよりも広い周波数に分布する。具体的には、１００Ｈｚ以下の低域では、打楽器用ピックアップ１０００で得られる電気信号のレベルが大きく減少するのに対し、本形態の打楽器用ピックアップ１０の中低域系統では十分に大きなレベルの電気信号が得られている（図１１（Ａ））。また、２．０ＫＨｚ以上の高域では、打楽器用ピックアップ１０００で得られる電気信号のレベルが大きく減少するのに対し、本形態の打楽器用ピックアップ１０の中高域系統では十分に大きなレベルの電気信号が得られている（図１１（Ｂ））。よって、打楽器用ピックアップ１０の２系統の電気信号を加算した混合信号の周波数スペクトラムは、１００Ｈｚ以下の低域や２．０ＫＨｚ以上の高域でも十分大きなレベルを保ち、従来の打楽器用ピックアップ１０００で得られるそれよりも広い周波数に分布する。これより、本形態の打楽器用ピックアップ１０では、打楽器の打撃音の周波数スペクトラムが広帯域に分布する場合であっても、それからアコースティックな打撃音を再現できることが分かる。
【００４７】
〔第２実施形態〕
次に、本発明の第２実施形態を説明する。
本形態は第１実施形態の打楽器用ピックアップの変形例である。第１実施形態との相違点は、本形態の打楽器用ピックアップが、介在部材とは別に、互いに対向する第１プレートの板面と第２プレートの板面との間に挟み込まれた弾性部材をさらに含み、この弾性部材によって音響特性を調整する点、及び、取り付け用アームの取り付け部分の形状を変更することで音響特性が調整された点である。
【００４８】
図１２（Ａ）は、第２実施形態の打楽器用ピックアップ３１０の透過平面図であり、図１２（Ｂ）は、図１２（Ａ）のＸＩＩ−ＸＩＩ断面図である。
【００４９】
この打楽器用ピックアップ３１０では、プレート１１とプレート１２との間に、さらにゴムなどの弾性部材３１３が固定されている。図１２の例では、プレート１１とプレート１２と弾性部材３１３とに設けられた各貫通孔に、プレート１２側からネジ３１４が挿入され、それがプレート１１の貫通孔に螺合して締付けられている。これにより、弾性部材３１３がプレート１１とプレート１２との振動を抑制し、高域の共振ピークをなまらせ、その共振ピークに起因する耳障りな音を抑制できる。
【００５０】
また、ネジ３１４の締め付け量を変化させることで、弾性部材３１３とプレート１１，１３との接触面積や、弾性部材３１３からプレート１１，１３に加えられる圧力を変化させ、音質を調整することも可能である。同様な効果は、弾性部材３１３の大きさを変化させて弾性部材３１３とプレート１１，１３との接触面積を変化させたり、弾性部材３１３の厚みを変化させて弾性部材３１３からプレート１１，１３に加えられる圧力を変化させたりしても得られる。なお、ネジ３１４によって弾性部材３１３をプレート１１，１３に固定するのではなく、接着剤や両面粘着テープなどによって弾性部材３１３をプレート１１，１３に固定してもよい。
【００５１】
また、弾性部材３１３の取り付け位置は、図１２で例示するように、プレート１１に設けられた取り付け用アーム３１２の付け根部分であることが望ましい。このように、取り付け用アーム３１２の付け根部分に位置するプレート１１，１３の領域で弾性部材３１３を挟み込むことで、取り付け用アーム３１２を通じてプレート１１に伝達された振動を、プレート１１に伝達された直後に抑制することができる。これにより、他の周波数で別の急峻な共振ピークを発生させたり、レベルを下げたりすることなく、高域の共振ピークに起因する耳障りな音のみを抑制することができる。なお、このような位置に弾性部材３１３を取り付けることに併せて、配線用プリント基板１９の取り付け位置を第１実施形態で説明した位置から変更してもよい（例えば、図１２（Ａ））。
【００５２】
また、打楽器用ピックアップ３１０の取り付け用アーム３１２は、その板面の短手方向の幅（プレート１１からの取り付け用アーム３１２の突出方向と略垂直方向の板面幅）が、当該取り付け用アーム３１２の或る位置３１２ａ，３１２ｂからプレート１１に接近するに従って広くなる形状に構成される。すなわち、取り付け用アーム３１２の先端部から当該位置３１２ａ，３１２ｂまでは当該板面の短手方向の幅は一定であり、当該位置３１２ａ，３１２ｂよりもプレート１１側では当該板面の短手方向の幅はプレート１１に接近するに従って拡大する。なお、位置３１２ａ，３１２ｂを結ぶ直線はプレート１１の長手方向の側面１１ｆと略平行である。このような構成にすることにより、取り付け用アーム３１２に伝達された振動の低域成分が弱めて中域成分を強調し、それによって再現された打撃音の低域成分を弱めて中域成分を強調することができる。このような効果は当該短手方向の幅の拡大量が大きいほど大きい。すなわち、取り付け用アーム３１２の先端部から当該位置３１２ａ，３１２ｂまでにおける、当該取り付け用アーム３１２の対向する一組の側面をそのままプレート１１まで延長した仮想線と、位置３１２ａ，３１２ｂよりもプレート１１側の取り付け用アーム３１２の両側面とが成す角度θ（図１２（Ａ）参照）が大きいほど、上述の効果は大きくなる。
【００５３】
〔第３実施形態〕
次に、本発明の第３実施形態を説明する。
本形態は第１実施形態の打楽器用ピックアップの取り付け用アームやプレートや介在部材の形状の変形例である。以下では第１実施形態との相違点のみを説明する。
【００５４】
図１３（Ａ）は、プレートや介在部材を変形した打楽器用ピックアップの変形例を説明するための透過平面図であり、図１３（Ｂ）は、図１３（Ａ）のＸＩＩＩ−ＸＩＩＩ断面図である。
【００５５】
図１３の打楽器用ピックアップ４１０は、打楽器用ピックアップ１０のプレート１１，１３が略円盤のプレート４１１，４１３（「第１，２プレート」に相当）に置換され、介在部材１４が円盤形状の介在部材４１４に置換されたものである。また、プレート４１１，４１３には、それぞれ３つずつの貫通孔４１１ａ〜４１１ｃ，４１３ａ〜４１３ｃが設けられ、介在部材４１４にも３つの貫通孔が設けられる。これらの３つずつの貫通孔は、プレート４１１，４１３及び介在部材４１４で孔位置がそれぞれ整合可能なように構成されている。なお、貫通孔４１１ａ〜４１１ｃの内壁にはネジ溝が設けられている。また、第１実施形態と同様、プレート４１１，４１３は銅成分を含む材質で構成され、介在部材４１４はプレート４１１，４１３と異なる材質（鉄成分を含む材質など）によって構成されている。
【００５６】
プレート４１１，４１３はそれぞれの板面を対向させて配置され、互いに対向するプレート４１１の板面の一部とプレート４１３の板面の一部との間に介在部材４１４が挟み込まれている。そして、プレート４１３の側から３つのネジ４１６ａ〜４１６ｃが、貫通孔４１３ａ〜４１３ｃと介在部材４１４の３つの貫通孔とを貫通し、さらに貫通孔４１１ａ〜４１１ｃに螺合して締付けられることで、介在部材４１４がプレート４１１，４１３の互いに対向する板面の一部に固定されている。
【００５７】
図１４（Ａ）〜（Ｃ）は、プレートや介在部材を変形した打楽器用ピックアップの他の変形例を説明するための透過平面図である。
【００５８】
図１４（Ａ）の打楽器用ピックアップ５１０は、打楽器用ピックアップ１０のプレート１１，１３が上述した略円盤のプレート４１１，４１３に置換されたものである。また、図１４（Ｂ）の打楽器用ピックアップ６１０は、図１３の打楽器用ピックアップ４１０のプレート４１１，４１３が楕円状の２枚のプレート６１１，６１３に置換されたものである。また、図１４（Ｃ）の打楽器用ピックアップ７１０は、打楽器用ピックアップ１０のプレート１１，１３が楕円状の２枚のプレート６１１，６１３に置換されたものである。このような変形も適宜可能である。
【００５９】
また、図１５（Ａ）は、打楽器用ピックアップの取り付け用アームを第１プレートと一体に構成するのではなく、第１プレートと別体に構成した取り付け用アームを第１プレートに設けた構成を説明するための平面図である。また、図１５（Ｂ）は、図１５（Ａ）のＸＶ−ＸＶ断面図である。なお、図１５では、取り付け用アームと第１プレートとそれらを結合するネジのみを示すが、実際はこれらが打楽器用ピックアップ１０のプレート１１及び取り付け用アーム１２に置換されて打楽器用ピックアップが構成される。
【００６０】
図１５に示すように、この変形例では、プレート８１１（「第１プレート」に相当）と取り付け用アーム８１２とが別体に構成され、それらがネジ８１２ａ，８１２ｂによって固定されている。このように、取り付け用アームと第１プレートとが別体であってもよい。
【００６１】
〔その他の変形例〕
なお、本発明は上述の実施の形態に限定されるものではない。例えば、振動ピックアップの少なくとも一部が、第１プレートの板面と第２プレートの板面の両方に固定された構成や、介在部材に固定された構成なども可能である。また、介在部材が、第１プレートや第２プレートの中心付近ではなく、辺縁部に配置される変形も可能である。さらに、第１プレートと第２プレートとが完全に対向するのではなく、それらの一部の領域のみが対向する構成も可能である。また、銅成分を含む３枚以上のプレートを設け、それらの間にそれぞれこれらのプレートと材質が異なる介在部材を介在させた構成も可能である。また、本形態の打楽器用ピックアップは、シンバルだけではなくドラム等の他の打楽器にも利用可能である。また、上述の実施形態では、固定部材としてナットを用いる構成を例示したが、固定部材として取付金具や回転防止金具等を用いてもよい。
【産業上の利用可能性】
【００６２】
本発明は電子打楽器に利用できる。
【図面の簡単な説明】
【００６３】
【図１】第１実施形態の打楽器用ピックアップの斜視図。
【図２】第１実施形態の打楽器用ピックアップの分解図。
【図３】（Ａ）は第１実施形態の打楽器用ピックアップの平面図であり、（Ｂ）はその正面図であり、図３（Ｃ）はその右側面図である。
【図４】（Ａ）は第１実施形態の打楽器用ピックアップの背面図であり、（Ｂ）はその底面図であり、（Ｃ）は（Ａ）のＩＶ−ＩＶ断面図である。
【図５】（Ａ）（Ｂ）は、プレートの板面に固定された振動ピックアップを説明するための図である。
【図６】（Ａ）は、シンバルとそれに装着された打楽器用ピックアップとを含む電気打楽器の平面図であり、（Ｂ）は、（Ａ）のＶＩ−ＶＩ断面図である。
【図７】（Ａ）は、シンバルに打楽器用ピックアップが取り付けられた様子を説明するための断面図であり、（Ｂ）は（Ａ）のワッシャーの斜視図であり、（Ｃ）はその平面図であり、（Ｄ）はそのＶＩＩ−ＶＩＩ断面図である。
【図８】図８（Ａ）〜（Ｃ）は、図７（Ａ）を用いて説明した取り付け方法の変形例を説明するための断面図である。
【図９】図９（Ａ）は、図７（Ａ）を用いて説明した取り付け方法の他の変形例を説明するための断面図であり、図９（Ｂ）は、図９（Ａ）のナットの斜視図であり、図９（Ｃ）は、図９（Ａ）のカップに内壁面側を説明するための底面拡大図である。図９（Ｄ）は、図７（Ａ）を用いて説明した取り付け方法の他の変形例を説明するための断面図であり、図９（Ｅ）は、図９（Ｄ）の固定部の平面図であり、図９（Ｆ）は、図９（Ｅ）のＩＸ−ＩＸ断面図である。
【図１０】（Ａ）は、従来の打楽器用ピックアップから出力される電気信号の周波数スペクトラム特性を例示するグラフである。また、（Ｂ）は、本形態の打楽器用ピックアップから出力される混合信号の周波数スペクトラム特性を例示するグラフである。
【図１１】（Ａ）は、打楽器用ピックアップ１０の中低域系統から出力される電気信号の周波数スペクトラム特性を例示するグラフであり、（Ｂ）は、中高域系統から出力される電気信号の周波数スペクトラム特性を例示するグラフである。
【図１２】（Ａ）は、第２実施形態の打楽器用ピックアップの透過平面図であり、（Ｂ）は（Ａ）のＸＩＩ−ＸＩＩ断面図である。
【図１３】（Ａ）は、プレートや介在部材を変形した打楽器用ピックアップの変形例を説明するための透過平面図であり、（Ｂ）は、（Ａ）のＸＩＩＩ−ＸＩＩＩ断面図である。
【図１４】（Ａ）〜（Ｃ）は、プレートや介在部材を変形した打楽器用ピックアップの他の変形例を説明するための透過平面図である。
【図１５】（Ａ）は、第１プレートと別体に構成した取り付け用アームを第１プレートに設けた構成を説明するための平面図であり、また、（Ｂ）は（Ａ）のＸＶ−ＸＶ断面図である。
【図１６】(Ａ)は、従来の打楽器用ピックアップの平面図であり、（Ｂ）は、その正面図である。
【符号の説明】
【００６４】
１０，３１０，４１０，５１０，６１０，８１０  打楽器用ピックアップ
１００  電子打楽器
【図１】
2010134341.tif 000003
【図２】
2010134341.tif 000004
【図３】
2010134341.tif 000005
【図４】
2010134341.tif 000006
【図５】
2010134341.tif 000007
【図６】
2010134341.tif 000008
【図７】
2010134341.tif 000009
【図８】
2010134341.tif 000010
【図９】
2010134341.tif 000011
【図１０】
2010134341.tif 000012
【図１１】
2010134341.tif 000013
【図１２】
2010134341.tif 000014
【図１３】
2010134341.tif 000015
【図１４】
2010134341.tif 000016
【図１５】
2010134341.tif 000017
【図１６】
2010134341.tif 000018